(57)【特許請求の範囲】
【請求項１】
キャビネットを組み立てるための構成体において、背面パネル及び両側の側面パネルを有すると共に、これら三枚のパネルを折曲げ可能に連結した複数パネル構成体と、該複数パネル構成体の両側の側面パネルに寄せ蟻の継手で接合できる底面パネル構成体とを備え、前記底面パネル構成体の奥行き寸法を、前記両側の側面パネルの奥行き寸法より大きくしてあることを特徴とするキャビネット構成体。
【請求項２】
前記複数パネル構成体は、前記三枚のパネルの夫々の表層を合成樹脂素材で成形すると共に夫々の内側に中空部を形成し、前記パネルを折曲げ可能に連結する箇所を、連結する両パネルの表層に一体に連なる同じ合成樹脂素材からなる可撓性のもので形成した請求項１記載のキャビネット構成体。
【請求項３】
キャビネットを組み立てるための構成体において、背面パネル及び両側の側面パネルを有すると共に、これら三枚のパネルを折曲げ可能に連結した複数パネル構成体と、該複数パネル構成体の両側の側面パネルに寄せ蟻の継手で接合できる底面パネル構成体とを備え、前記両側の側面パネルの各々に凹溝を設け、これら凹溝と前記底面パネル構成体の外側面の間に前記寄せ蟻の継手を設け、これら凹溝に前記底面パネル構成体の縁部を挿着し、前記背面パネルへ向かって前記底面パネル構成体を押し込んで前記寄せ蟻の継手の蟻ほぞを蟻穴に差し込んで抜けない状態としたことを特徴とするキャビネット構成体。
【請求項４】
前記両側の側面パネルは、前記凹溝より下方領域を上方領域より突出させて凹溝より下方領域に支持部を形成し、前記凹溝に挿着する底面パネル構成体の縁部を支持部で支持するようにした請求項３記載のキャビネット構成体。
【請求項５】
キャビネットの組立方法において、背面パネル及び両側の側面パネルを有すると共に、これら三枚のパネルを折曲げ可能に連結した複数パネル構成体と、該複数パネル構成体の両側の側面パネルに寄せ蟻の継手で接合できる底面パネル構成体と、該複数パネル構成体の両側の側面パネルに寄せ蟻の継手で接合できる幕板構成体とを準備し、上記底面パネル構成体を挟むように上記複数パネル構成体を折り曲げて両側の側面パネルを接近させつつ上記寄せ蟻の蟻ほぞを一旦逃げ穴に差し込み、その後に上記底面パネル構成体を上記背面パネルに向かって押し込むことで蟻ほぞを蟻穴に入れて両者を接合し、次に上記複数パネル構成体の両側の側面パネルに向かって上記幕板構成体を移動させつつ上記寄せ蟻の蟻ほぞを一旦逃げ穴に差し込み、その後に上記幕板構成体を下方に移動することで蟻ほぞを蟻穴に入れて両者を接合することを特徴とするキャビネット組立方法。
【請求項６】
前記底面パネル構成体の底面手前側に寄せ蟻の継手で接合できる幅木構成体を準備し、前記複数パネル構成体に前記底面パネル構成体を接合する前に、該寄せ蟻の蟻ほぞを一旦逃げ穴に差し込み、その後に該幅木構成体をその長手方向へ移動させることで蟻ほぞを蟻穴に入れて両者を予め接合させておく請求項５記載のキャビネット組立方法。
【請求項７】
前記複数パネル構成体の両側の側面パネルに寄せ蟻の継手で接合できる幅木構成体を準備し、前記複数パネル構成体と前記底面パネル構成体を接合した後に、前記複数パネル構成体の両側の側面パネルに向かって上記幅木構成体を移動させつつ上記寄せ蟻の蟻ほぞを一旦逃げ穴に差し込み、その後に上記幅木構成体を下方に移動することで蟻ほぞを蟻穴に入れて両者を接合する請求項５記載のキャビネット組立方法。
【請求項８】
前記複数パネル構成体に接合した前記幕板構成体と前記底面パネル構成体との間に扉構成体を配置する共に、前記複数パネル構成体の両側の側面パネルにヒンジ具を介して扉構成体を接合する請求項５，６又は７記載のキャビネット組立方法。
【請求項９】
キャビネットの組立方法において、背面パネル及び両側の側面パネルを有すると共に、これら三枚のパネルを折曲げ可能に連結した複数パネル構成体と、該複数パネル構成体の下端面に寄せ蟻の継手で接合できる上面を有する底面パネル構成体と、該複数パネル構成体の両側の側面パネルに寄せ蟻の継手で接合できる幕板構成体とを準備し、上記複数パネル構成体を折り曲げて両側の側面パネルを対峙させ、次に折り曲げ状態の複数パネル構成体と上記底面パネル構成体とを接近させつつ上記寄せ蟻の蟻ほぞを一旦逃げ穴に差し込み、その後に両者を相対移動することで蟻ほぞを蟻穴に入れて両者を接合すると共に、上記複数パネル構成体の両側の側面パネルに向かって上記幕板構成体を移動させつつ上記寄せ蟻の蟻ほぞを一旦逃げ穴に差し込み、その後に上記幕板構成体を下方に移動することで蟻ほぞを蟻穴に入れて両者を接合することを特徴とするキャビネット組立方法。
【請求項１０】
準備される前記底面パネル構成体は底面の両側に脚部が備えられ、前記底面パネル構成体の該脚部に着脱自在に接合できる幅木構成体を準備し、適宜時期に前記底面パネル構成体の脚部に上記幅木構成体を接合する請求項９記載のキャビネット組立方法。
【発明の詳細な説明】
【０００１】
【発明の属する技術分野】
本発明は、洗面器載置台、収納棚又は扉付き収納庫等のキャビネットであって、分解されたキャビネット構成体の状態で現地へ搬送され、現地で組み立てられるものに関する。
【０００２】
【従来の技術】
製造コスト及び搬送コストの低減を図るために、分解された一組のキャビネット構成体の状態で販売されられるものがある。この一組のキャビネット構成体は、特開平６−３１９６２０号公報に記載の如く、個々独立した背面パネル、側面パネル、上面パネル及び底面パネルを組み合わせ、現地で各パネルどうしを次々に接合して組み立てるようにしたものである。
【０００３】
【発明が解決しようとする課題】
組み立てる初期の段階では、連結する各パネルどうしを起立させた状態で接合する必要がある。しかし、各パネルが倒れないように自立させた状態で連結するには、熟練を必要とする。また、パネルが大きい場合には、一人で組み立てることが困難なため、自立させたパネルを保持する者とパネル連結を行う者の二人で組み立てなければならない。更に、多数のパネルの有る一組のキャビネット構成体の中から対となるパネルを探し出し、更に対となるパネルの接合箇所を見つけ出すのに多くの時間を必要とする場合がある。
【０００４】
本発明は、上記問題を解決するために、対となるパネルを容易に探し出すことができると共にパネルを簡単に自立させる等できるキャビネット構成体及びキャビネット組立方法の提供を目的とする。
【０００５】
【課題を解決するための手段】
対となるパネルを容易に探し出すことができると共にパネルを簡単に自立させる等でき、更にパネルの接合が簡単にでき、また、蹴り込み部を容易に得ることができるようにするために請求項１記載の本発明が採用した手段は、キャビネットを組み立てるための構成体において、背面パネル及び両側の側面パネルを有すると共に、これら三枚のパネルを折曲げ可能に連結した複数パネル構成体と、該複数パネル構成体の両側の側面パネルに寄せ蟻の継手で接合できる底面パネル構成体とを備え、前記底面パネル構成体の奥行き寸法を、前記両側の側面パネルの奥行き寸法より大きくしてあることを特徴とするキャビネット構成体である。
本発明にあっては、複数パネル構成体が対となる背面パネル及び両側の側面パネルを折曲げ可能に連結してあるため、複数パネル構成体を探し出すだけで、対となる背面パネル及び両側の側面パネルを一体として得ることができる。また、本発明にあっては、複数パネル構成体を折り曲げて両側の側面パネルを接近させて自立させたり又は横に寝かした状態とし、この状態の複数パネル構成体の両側の側面パネルの間に配置した底面パネル構成体を両側の側面パネルで挟むようにして寄せ蟻の蟻ほぞを一旦逃げ穴に差し込み、その後に底面パネル構成体を移動させることで蟻ほぞを蟻穴に入れて両者を接合できる。寄せ蟻の継手の蟻穴が逃げ穴より背面パネル寄りに設けられているときには、底面パネル構成体を背面パネルに向かって押し込むことで蟻ほぞを蟻穴に差し込んで接合できる。更に、本発明にあっては、複数パネル構成体の両側の側面パネルの間に配置した底面パネル構成体を両側の側面パネルに接合したとき、底面パネル構成体の手前側が両側の側面パネルより手前側へ突出するので、蹴り込み部を容易に得ることができる。
【０００６】
なお、請求項１記載の本発明において、上記複数パネル構成体の両側の側面パネルに寄せ蟻の継手で接合できる幕板構成体を備えることもある。
この場合には、複数パネル構成体の両側の側面パネルに向かって幕板構成体を移動させつつ寄せ蟻の蟻ほぞを一旦逃げ穴に差し込み、その後に幕板構成体を移動することで蟻ほぞを蟻穴に入れて両者を接合することができる。そして、寄せ蟻の継手の蟻穴が逃げ穴より下方に設けられているときには、幕板構成体を下方へ向かって押し込むことで蟻ほぞを蟻穴に入れて接合できる。
【０００７】
リサイクルが容易にできるようにするために請求項２記載の本発明が採用した手段は、前記複数パネル構成体は、前記三枚のパネルの夫々の表層を合成樹脂素材で成形すると共に夫々の内側に中空部を形成し、前記パネルを折曲げ可能に連結する箇所を、連結する両パネルの表層に一体に連なる同じ合成樹脂素材からなる可撓性のもので形成した請求項１記載のキャビネット構成体である。
本発明にあっては、三枚のパネルからなる複数パネル構成体を同一の合成樹脂素材で成形してあるため、リサイクルするときに同一の合成樹脂素材に還元することが可能となる。更に、本発明にあっては、複数パネル構成体が内側に中空部を形成するように同じ合成樹脂素材で表層を成形してあるため、複数パネル構成体をブロー成形で得ることが可能となる。
【０００８】
対となるパネルを容易に探し出すことができると共にパネルを簡単に自立させる等でき、更にパネルの接合が簡単にできるようにするために請求項３記載の本発明が採用した手段は、キャビネットを組み立てるための構成体において、背面パネル及び両側の側面パネルを有すると共に、これら三枚のパネルを折曲げ可能に連結した複数パネル構成体と、該複数パネル構成体の両側の側面パネルに寄せ蟻の継手で接合できる底面パネル構成体とを備え、前記両側の側面パネルの各々に凹溝を設け、これら凹溝と前記底面パネル構成体の外側面の間に前記寄せ蟻の継手を設け、これら凹溝に前記底面パネル構成体の縁部を挿着し、前記背面パネルへ向かって前記底面パネル構成体を押し込んで前記寄せ蟻の継手の蟻ほぞを蟻穴に差し込んで抜けない状態としたことを特徴とするキャビネット構成体である。
本発明にあっては、複数パネル構成体が対となる背面パネル及び両側の側面パネルを折曲げ可能に連結してあるため、複数パネル構成体を探し出すだけで、対となる背面パネル及び両側の側面パネルを一体として得ることができる。また、本発明にあっては、複数パネル構成体を折り曲げて両側の側面パネルを接近させて自立させたり又は横に寝かした状態とし、この状態の複数パネル構成体の両側の側面パネルの間に配置した底面パネル構成体を両側の側面パネルで挟むようにして寄せ蟻の蟻ほぞを一旦逃げ穴に差し込み、その後に底面パネル構成体を背面パネルに向かって押し込むことで蟻ほぞを蟻穴に差し込んで接合できる。
【０００９】
請求項４記載の本発明が採用した手段は、前記両側の側面パネルは、前記凹溝より下方領域を上方領域より突出させて凹溝より下方領域に支持部を形成し、前記凹溝に挿着する底面パネル構成体の縁部を支持部で支持するようにした請求項３記載のキャビネット構成体である。
【００１０】
キャビネットの組み立てが簡単となるようにするために請求項５記載の本発明が採用した手段は、キャビネットの組立方法において、背面パネル及び両側の側面パネルを有すると共に、これら三枚のパネルを折曲げ可能に連結した複数パネル構成体と、該複数パネル構成体の両側の側面パネルに寄せ蟻の継手で接合できる底面パネル構成体と、該複数パネル構成体の両側の側面パネルに寄せ蟻の継手で接合できる幕板構成体とを準備し、上記底面パネル構成体を挟むように上記複数パネル構成体を折り曲げて両側の側面パネルを接近させつつ上記寄せ蟻の蟻ほぞを一旦逃げ穴に差し込み、その後に上記底面パネル構成体を上記背面パネルに向かって押し込むことで蟻ほぞを蟻穴に入れて両者を接合し、次に上記複数パネル構成体の両側の側面パネルに向かって上記幕板構成体を移動させつつ上記寄せ蟻の蟻ほぞを一旦逃げ穴に差し込み、その後に上記幕板構成体を下方に移動することで蟻ほぞを蟻穴に入れて両者を接合することを特徴とするキャビネット組立方法である。
本発明にあっては、複数パネル構成体を折り曲げて両側の側面パネルを接近させることで自立させることができ、この自立した複数パネル構成体の両側の側面パネルの間に底面パネル構成体を配置し、寄せ蟻の継手で接合するように両側の側面パネルで底面パネル構成体を挟んだ状態で底面パネル構成体を押し込むことで、複数パネル構成体と底面パネル構成体とを接合でき、更に複数パネル構成体の両側の側面パネルに幕板構成体を、寄せ蟻の継手で接合するように当接させて下方に移動することで、複数パネル構成体と幕板構成体を接合できる。
【００１１】
幅木を備える状態での組み立てが簡単となるようにするために請求項６記載の本発明が採用した手段は、前記底面パネル構成体の底面手前側に寄せ蟻の継手で接合できる幅木構成体を準備し、前記複数パネル構成体に前記底面パネル構成体を接合する前に、該寄せ蟻の蟻ほぞを一旦逃げ穴に差し込み、その後に該幅木構成体をその長手方向へ移動させることで蟻ほぞを蟻穴に入れて両者を予め接合させておく請求項５記載のキャビネット組立方法である。
本発明にあっては、底面パネル構成体に幅木構成体を寄せ蟻の継手で予め接合しておくことで、幅木構成体を一体化した底面パネル構成体が得られ、幅木を備える組み立てができる。
【００１２】
組み立て後にも幅木構成体を着脱できるようにするために請求項７記載の本発明が採用した手段は、前記複数パネル構成体の両側の側面パネルに寄せ蟻の継手で接合できる幅木構成体を準備し、前記複数パネル構成体と前記底面パネル構成体を接合した後に、前記複数パネル構成体の両側の側面パネルに向かって上記幅木構成体を移動させつつ上記寄せ蟻の蟻ほぞを一旦逃げ穴に差し込み、その後に上記幅木構成体を下方に移動することで蟻ほぞを蟻穴に入れて両者を接合する請求項５記載のキャビネット組立方法である。
本発明にあっては、組み立て後に幅木構成体を上方に移動した後に手前へ移動させることで、幅木構成体を分離して底面パネル構成体の底面側を開口させることができる。
【００１３】
扉を備える状態での組み立てが簡単となるようにするために請求項８記載の本発明が採用した手段は、前記複数パネル構成体に接合した前記幕板構成体と前記底面パネル構成体との間に扉構成体を配置する共に、前記複数パネル構成体の両側の側面パネルにヒンジ具を介して扉構成体を接合する請求項５，６又は７記載のキャビネット組立方法である。
本発明にあっては、扉を後付けすることができる。
【００１４】
キャビネットの組み立てが簡単となるようにするために請求項９記載の本発明が採用した手段は、キャビネットの組立方法において、背面パネル及び両側の側面パネルを有すると共に、これら三枚のパネルを折曲げ可能に連結した複数パネル構成体と、該複数パネル構成体の下端面に寄せ蟻の継手で接合できる上面を有する底面パネル構成体と、該複数パネル構成体の両側の側面パネルに寄せ蟻の継手で接合できる幕板構成体とを準備し、上記複数パネル構成体を折り曲げて両側の側面パネルを対峙させ、次に折り曲げ状態の複数パネル構成体と上記底面パネル構成体とを接近させつつ上記寄せ蟻の蟻ほぞを一旦逃げ穴に差し込み、その後に両者を相対移動することで蟻ほぞを蟻穴に入れて両者を接合すると共に、上記複数パネル構成体の両側の側面パネルに向かって上記幕板構成体を移動させつつ上記寄せ蟻の蟻ほぞを一旦逃げ穴に差し込み、その後に上記幕板構成体を下方に移動することで蟻ほぞを蟻穴に入れて両者を接合することを特徴とするキャビネット組立方法である。
本発明にあっては、複数パネル構成体を折り曲げて両側の側面パネルを接近させることで自立させることができ、この自立した複数パネル構成体と底面パネル構成体とを寄せ蟻の継手で接合でき、更に複数パネル構成体の両側の側面パネルに幕板構成体を、寄せ蟻の継手で接合するように当接させて下方に移動することで、複数パネル構成体と幕板構成体を接合できる。
【００１５】
組み立て後にも幅木構成体を着脱できるようにするために請求項１０記載の本発明が採用した手段は、準備される前記底面パネル構成体は底面の両側に脚部が備えられ、前記底面パネル構成体の該脚部に着脱自在に接合できる幅木構成体を準備し、適宜時期に前記底面パネル構成体の脚部に上記幅木構成体を接合する請求項９記載のキャビネット組立方法である。
本発明にあっては、組み立て後に幅木構成体を分離して底面パネル構成体の底面側を開口させることができる。
【００１６】
【発明の実施の形態】
以下、本発明に係るキャビネット構成体及びキャビネット組立方法を図面に示す実施の形態に基づいて説明する。
【００１７】
（第１の実施の形態）
図１乃至図１３は本発明に係るキャビネット構成体及びキャビネット組立方法を洗面器用キャビネットに応用した第１の実施の形態を示すものである。図１は組立てられた洗面器用キャビネットを示すものであり、（Ａ）は正面図、（Ｂ）は平面図、（Ｃ）は部分断面した右側面図、（Ｄ）は一部を示す底面図である。図２は背面パネル及び両側の側面パネルを連結した複数パネル構成体を示すものであって、（Ａ）は平面状に広げた状態の正面図、（Ｂ）は同状態の平面図、（Ｃ）は同状態の左側面図である。図３は複数パネル構成体の背面図である。図４は複数パネル構成体の拡大した断面図であって、（Ａ）は図２（Ａ）のａ−ａ線における断面図、（Ｂ）は図２（Ａ）のｂ−ｂ線における断面図、（Ｃ）は図２（Ｂ）の一点鎖線ｃで囲まれた部分の断面図である。図５は複数パネル構成体の中間を省略して左右両端寄りを拡大して示す平面図である。図６は底面パネル構成体を示すものであって、（Ａ）は底面図、（Ｂ）は部分断面した背面図である。図７は幅木構成体を示すものであって、（Ａ）は正面図、（Ｂ）は右側面図、（Ｃ）は部分断面した平面図である。図８は幕板構成体を示すものであって、（Ａ）は部分断面した正面図、（Ｂ）は平面図、（Ｃ）は背面図である。図９は中仕切構成体を示すものであって、（Ａ）は平面図、（Ｂ）は部分断面した左側面図、（Ｃ）は背面図である。図１０は右側の扉構成体を示すものであって、（Ａ）は部分断面した正面図、（Ｂ）は平面図である。図１１は寄せ蟻の継手を示すものであって、（Ａ）は逃げ穴及び蟻穴を示す表面図、（Ｂ）は蟻ほぞを示す表面図、（Ｃ）は逃げ穴及び蟻穴に蟻ほぞを差し込む前の状態の側面図、（Ｄ）は逃げ穴及び蟻穴に蟻ほぞを差し込んだ状態の側面図である。図１２はヒンジ具を示すものであって、（Ａ）は上方のヒンジ具の正面図、（Ｂ）は上方のヒンジ具の平面図、（Ｃ）は下方のヒンジ具の正面図、（Ｄ）は下方のヒンジ具の平面図である。図１３は組立て途中の状態を示す平面図である。
【００１８】
洗面器用キャビネット１を構成するキャビネット構成体は、図１に示す如く、背面パネル１０及び両側の側面パネル１１，１２を形成する複数パネル構成体２と、底面パネル構成体３と、正面下方に設けた幅木構成体４と、正面上方に設けた幕板構成体５と、正面中央寄りに設けた左右の扉構成体６，７と、左右の扉構成体６，７を枢支するための上下一組のヒンジ具８，９（図１２参照）の二組と、内部１ｂに配置した中仕切パネル構成体１３とを備えている。組み立てられた洗面器用キャビネット１は、背面パネル１０、両側の側面パネル１１，１２及び幕板構成体５の各上縁１０ａ，１１ａ，１２ａで洗面器（図示略）を支持すると共に、上面開口部１ａからキャビネット内部１ｂの上方に洗面器底面側を挿入できるようになっている。
【００１９】
前記複数パネル構成体２は、図２乃至図５に示す如く、背面パネル１０の左右両端に左右の側面パネル１１，１２を折曲げ可能に連結して一体化したものであって、平面状態に広げたときの折曲げ箇所を縦方向に延びる９０°のＶ字状の凹溝２ａ，２ａ（図２（Ｂ）及び図４（Ｃ）参照）で形成してあり、左右の側面パネル１１，１２を手前側へ折り曲げることができるようにしてある（図１３参照）。複数パネル構成体２は、三枚のパネル１０〜１２の夫々の内外の表層１０ｂ，１１ｂ，１２ｂ（図４，図５参照）を合成樹脂素材で成形すると共に夫々の内側に中空部１０ｃ，１１ｃ，１２ｃを形成し、パネルを折曲げ可能に連結する各凹溝２ａの隅部箇所２ａ−１（図４（Ｃ）参照）を、連結する両パネルの表層へ一体に連なる同じ合成樹脂素材からなる可撓性のもので形成してある。複数パネル構成体２は、ブロー成形法で成形することが可能となり、ブロー成形法で成形したときには製造コストの低減を図ることができる。複数パネル構成体２は、全体が同一の合成樹脂素材で成形されているため、リサイクルするときに同一の合成樹脂素材に還元することが可能となる。
【００２０】
前記複数パネル構成体２は、図２（Ａ）の正面図に示す如く、正面下方寄りに、三枚のパネル１０〜１２に亘つて横方向へ直線状に延びる凹溝２ｂ，２ｂ，２ｂが設けられており、底面パネル構成体３ａの三辺の縁部を挿着できるようにしてある。複数パネル構成体２は、図２（Ｃ）及び図４（Ａ）（Ｂ）に示す如く、各凹溝２ｂより下方領域を上方領域より突出させることにより、各凹溝２ｂより下方領域に支持部２ｃ，２ｃ，２ｃを形成し、凹溝２ｂ，２ｂ，２ｂに挿着する底面パネル構成体３の三辺の縁部を各支持部２ｃで支持できるようにしてある。
【００２１】
前記複数パネル構成体２は、背面パネル１０及び右側面パネル１２に、縦方向へ直線状に延びる凹溝２ｄ，２ｅが設けられており、中仕切パネル構成体１３の縁部を挿着できるようにしてある。複数パネル構成体２は、左右の側面パネル１１，１２の部分に設けられた横方向の各凹溝２ｂ並びに背面パネル１０及び右側面パネル１２の部分に設けられた縦方向の凹溝２ｄ，２ｅの上端寄りに、寄せ蟻の継手１４（図１１参照）を構成する逃げ穴１５ａ及び蟻穴１５ｂからなる穴１５を設けてある。複数パネル構成体２は、両側面２ｇ，２ｇの夫々に、寄せ蟻の継手１４を構成する蟻ほぞ１６を設けると共に、ヒンジ具連結用のブラケット１７，１７を設けてある。複数パネル構成体２は、背面パネル１０の部分に設けられた横方向の凹溝２ｂに、係止用の凹部２ｆを形成してある。
【００２２】
前記洗面器用キヤビネット１は、図１（Ｂ）に示す如く、背面パネル１０と右側面パネル１２と中仕切パネル構成体１３とで囲まれる内部領域が配管スペース１ｃとなっている。背面パネル１０は、この配管スペース１ｃを形成する箇所に、図２（Ａ）および図４（Ｂ）に示す如く、内外両側の表層１０ｂ，１０ｂを合わせて凹部１０ｄとした領域を多数形成してある。洗面器用キヤビネット１は、キヤビネット外側の配管をキヤビネット内部へ導くとき、適所の凹部１０ｄをカッター等で切除して貫通させることで施工性の向上が図れるようになっている。凹部１０ｄを設ける背面パネル１０の面としては、背面パネル１０の正面側（キヤビネット１の内側となる面側）、背面側及び両側を適宜選択することができる。
【００２３】
前記底面パネル構成体３は、図６に示す如く、表層３ｂを合成樹脂素材で成形すると共に内側に中空部３ｃを形成してあり、ブロー成形法で成形したときには製造コストの低減を図ることができる。底面パネル構成体３は、前記複数パネル構成体２と同一の合成樹脂素材で成形することにより、リサイクルするときに同一の合成樹脂素材に還元することが可能となる。底面パネル構成体３は、左右の外側面３ａ，３ａの夫々所定箇所に、寄せ蟻の継手１４を構成する蟻ほぞ１６，１６を設けてある。底面パネル構成体３は、背側の外側面３ｆに係止用の凸部３ｇ，３ｇを突設してある。底面パネル構成体３は、底面の手前側に、横方向の延びる凹溝３ｄを凹設すると共に、凹溝３ｄに寄せ蟻の継手１４を構成する逃げ穴１５ａ及び蟻穴１５ｂからなる穴１５を二組設けてある。底面パネル構成体３は、洗面器用キヤビネット１の配管スペース１ｃ（図１（Ｂ）参照）を形成する領域に、排水管用貫通孔３ｅを設けてある。底面パネル構成体３は、その奥行き寸法Ｄ１を前記左右の側面パネル１１，１２の奥行き寸法Ｄ２（図１（Ｂ）参照）より大きくしてあり、洗面器用キヤビネット１を構成したときに、両側面パネル１１，１２よりその手前側を突出させて、蹴り込み部を容易に得ることができるようにしてある。
【００２４】
前記幅木構成体４は、図７に示す如く、表層４ｂを合成樹脂素材で成形すると共に内側に中空部４ｃを形成してあり、ブロー成形法で成形したときには製造コストの低減を図ることができる。幅木構成体４は、前記複数パネル構成体２と同一の合成樹脂素材で成形することにより、リサイクルするときに同一の合成樹脂素材に還元することが可能となる。幅木構成体４は、前記底面パネル構成体３の凹溝３ｄに嵌入できる凸部４ｄを形成すると共に、凸部４ｄの所定箇所に寄せ蟻の継手１４を構成する蟻ほぞ１６，１６を設けてある。幅木構成体４は、前記底面パネル構成体３に接合したとき、底面パネル構成体３の幅寸法Ｗ１と同一となるようにしてある。
【００２５】
前記幕板構成体５は、図８に示す如く、主体部の表層５ｂを合成樹脂素材で成形すると共にその内側に中空部５ｃを形成してあり、ブロー成形法で成形したときには製造コストの低減を図ることができる。幕板構成体５は、前記複数パネル構成体２と同一の合成樹脂素材で成形することにより、リサイクルするときに同一の合成樹脂素材に還元することが可能となる。幕板構成体５は、背面両側の所定箇所に、寄せ蟻の継手１４を構成する逃げ穴１５ａ及び蟻穴１５ｂからなる穴１５を二組設けることにより、前記左右の側面パネル１１，１２に接合できるようにしてある。幕板構成体５は、接合状態の両側面パネル１１，１２の左右幅寸法と同一寸法となるようにしてある。
【００２６】
前記中仕切りパネル構成体１３は、図９に示す如く、表層１３ｂを合成樹脂素材で成形すると共にその内側に中空部１３ｃを形成してあり、ブロー成形法で成形したときには製造コストの低減を図ることができる。中仕切りパネル構成体１３は、前記複数パネル構成体２と同一の合成樹脂素材で成形することにより、リサイクルするときに同一の合成樹脂素材に還元することが可能となる。中仕切りパネル構成体１３は、両外側面１３ａ，１３ａの所定箇所に、寄せ蟻の継手１４を構成する蟻ほぞ１６，１６を設けることにより、前記背面パネル１０及び右側の側面パネル１２に接合できるようにしてある。
【００２７】
前記右側の扉構成体７は、図１０に示す如く、表層７ｂを合成樹脂素材で成形すると共に内側に中空部７ｃを形成してあり、ブロー成形法で成形したときには製造コストの低減を図ることができる。なお，扉構成体７は、中空部７ｃを形成することなく板状に成形することもある。扉構成体７は、前記複数パネル構成体２と同一の合成樹脂素材で成形することにより、リサイクルするときに同一の合成樹脂素材に還元することが可能となる。扉構成体７は、正面側に把手７ｄを形成すると共に、右側上下端の夫々にヒンジ用孔７ｅを設けてある。扉構成体７は、上下面の左側にストッパー用凸部７ｆ，７ｆを設けてある。左側の扉構成体６（図１参照）は、右側の扉構成体７と左右対称に形成される。
【００２８】
前記寄せ蟻の継手１４は、図１１に示す如く、穴１５である逃げ穴１５ａ及び蟻穴１５ｂと、穴１５に嵌入する蟻ほぞ１６とからなる。寄せ蟻の継手１４は、逃げ穴１５ａに蟻ほぞ１６を嵌入した後に、蟻穴１５ｂに向かって蟻ほぞ１６をスライドすることで、蟻穴１５ｂに蟻ほぞ１６を抜けない状態に嵌着させることができる。寄せ蟻の継手１４の穴１５及び蟻ほぞ１６は、前記各構成体の部位に設ける以外に、前記構成体とは逆の構成体の部位に設けることも可能な場合もある。
【００２９】
前記ヒンジ具８，９の夫々は、図１２に示す如く、本体１８とピン１９又は２０とからなる。本体１８は、前記左右の側面パネル１１，１２に設けられているブラケット１７に嵌着できる挟持片部１８ａと、挟持片部１８ａから片持ち状に張り出したピン受部１８ｂとを備え、ピン受部１８ｂに縦貫通孔１８ｃを設けてある。上方支持用のピン１９は、上端の止め鍔部１９ａと、縦貫通孔１８ｃを貫通して下端から突出するピン部１９ｂとを備えている。下方支持用のピン２０は、中間の止め鍔部２０ａと、縦貫通孔１８ｃに嵌入するピン部２０ｂと、上方に突出するピン部２０ｃとを備えている。
【００３０】
前記洗面器用キヤビネット１の組立て方法は、その組立て手順に従って説明すると下記の通りである。先ず、背面パネル１０の両側に左右の側面パネル１１，１２を折曲げ可能に連結した複数パネル構成体２と、複数パネル構成体２の両側の側面パネル１１，１２に寄せ蟻の継手１４で接合できる底面パネル構成体３と、複数パネル構成体２の両側の側面パネル１１，１２に寄せ蟻の継手１４で正面側から接合できる幕板構成体５と、底面パネル構成体３の底面手前側に寄せ蟻の継手１４で接合できる幅木構成体４と、複数パネル構成体２の両側の側面パネル１１，１２にヒンジ具８，９を介して取付けられる扉構成体６，７とを予め準備すると共に、底面パネル構成体３の底面側に幅木構成体４に接合しておく。底面パネル構成体３に対する幅木構成体４の接合は、底面パネル構成体３の底面側の凹溝３ｄに幅木構成体４の凸部４ｄを挿入して、両者３，４の間に設けられている二組の継手１４の各逃げ穴１５ａに各蟻ほぞ１６を嵌入させ、その後に幅木構成体４を左右方向へ移動させて各蟻穴１５ｂに蟻ほぞ１６をスライド挿入し、蟻穴１５ｂから蟻ほぞ１６が抜けない状態に嵌着させることで行われる。
【００３１】
次に、図２に示す平面状態の複数パネル構成体２の両側の側面パネル１１，１２が手前側に来るように折曲げることで、図１３に示すように立体状態にして自立させると共に、側面パネル１１，１２の段状の支持部２ｃ，２ｃに底面パネル構成体３の左右両側の奥部を載置する。この載置状態の底面パネル構成体３の前後位置を調整しながら、更に両側の側面パネル１１，１２を接近させつつ、側面パネル１１，１２と底面パネル構成体３との間に設けられている四組の継手１４の各逃げ穴１５ａに対応する蟻ほぞ１６を嵌入させる。この嵌入が終了したならば、底面パネル構成体３を背面パネル１０に向かって押し込むことで、四組の継手１４の各蟻穴１５ｂに蟻ほぞ１６をスライド挿入させて抜けない状態に嵌着させると共に、背面パネル１０の係止用凹部２ｆに底面パネル構成体３の係止用凸部３ｇを挿着させる。これにより、複数パネル構成体２と底面パネル構成体３とは、四組の継手１４で接合されて一体化する。
【００３２】
続けて、複数パネル構成体２の平面コ状となった両側の側面パネル１１，１２の手前側に、幕板構成体５を接合する。この接合は、側面パネル１１，１２と幕板構成体５との間に設けられている二組の継手１４の各逃げ穴１５ａに対応する蟻ほぞ１６を嵌入させた後に、幕板構成体５を下方へ移動させて各蟻穴１５ｂに蟻ほぞ１６をスライド挿入し、蟻穴１５ｂから蟻ほぞ１６が抜けない状態に嵌着させることで行われる。
【００３３】
最後に、複数パネル構成体２の両側の側面パネル１１，１２にヒンジ具８，９のピン１９，２０からなるヒンジを介して左右の扉構成体６，７を接合して洗面器用キヤビネット１の組立てを完了する。この扉構成体６，７を接合は、両側の側面パネル１１，１２の手前側の４個のブラケット１７に上下一組のヒンジ具８，９の左右二組を嵌着し、下方のヒンジ具９，９に短いピン２０を挿着し、次に左右の扉構成体６，７の下方のヒンジ用孔７ｅに短いピン２０を挿入させるように扉構成体６，７を配置し、続けて上方のヒンジ具１０，１０に長いピン１９を挿入すると共に、ピン先端を扉構成体６，７の上方のヒンジ用孔７ｅに挿入することで行う。
【００３４】
洗面器用キヤビネット１の上記組立て方法では、複数パネル構成体２を折り曲げて両側の側面パネル１１，１２を接近させることで自立させることができ、この自立した複数パネル構成体２の両側の側面パネル１１，１２の間に配置した底面パネル構成体３を、寄せ蟻の継手１４で接合するように両側の側面パネル１１，１２で挟んだ状態で押し込むことで、複数パネル構成体２と底面パネル構成体３とを接合でき、更に複数パネル構成体２の両側の側面パネル１１，１２に幕板構成体５を、寄せ蟻の継手１４で接合するように移動させて下方に移動することで、複数パネル構成体２と幕板構成体５を接合でき、そして左右の扉構成体６，７をヒンジ具８，９で枢支できるので、一人で簡単に組み立て作業することが可能となる。更に、複数パネル構成体２が背面パネル１０と左右の側面パネル１１，１２とを一体化してあるため、三枚のパネルを個々に探す必要も、三枚のパネルどうしの連結箇所を探し出す必要もないため、短時間に組立てることが可能となる。
【００３５】
本実施の形態に係る洗面器用キャビネット１を構成するキャビネット構成体は、ホームセンター等の量販店等で販売することも可能となるため、販売ルートの拡大が図れる。そして、消費者は、納期を待つことなく必要なときにキャビネット構成体を手軽に購入し、自家用車等で持ち帰つて家庭で簡単に組み立てることができる。
【００３６】
（第２の実施の形態）
図１４は本発明に係るキャビネット構成体及びキャビネット組立方法を洗面器用キャビネットに応用した第２の実施の形態の下半部を中間省略して示す部分断面した右側面図であって、（Ａ）は複数パネル構成体と幅木構成体とを分離した状態を示し、（Ｂ）は複数パネル構成体に幅木構成体を接合した状態を示すものである。
【００３７】
本実施の形態が前記第１の実施の形態と相違する点は、キャビネットの組み立て後に、複数パネル構成体２に対して幅木構成体５４を正面側から着脱できるようにしたことである。この相違点以外の構成は、前記第１の実施の形態と実質的に同一であり、同一の符合は同一の構成部材等を示す。本実施の形態にあっては、平面コ状に折り曲げられた複数パネル構成体２の左右の側面２ｇ，２ｇの下方寄りに、寄せ蟻の継手１４を形成する蟻ほぞ１６（又は穴１５）を設ける共に、幅木構成体５４の背面側の左右両側に継手１４の穴１５（又は蟻ほぞ１６）を設けてある。
【００３８】
組み立てるときには、複数パネル構成体２の両側の側面パネル１１，１２に寄せ蟻の継手１４で接合できる幅木構成体５４を準備し、前記第１の実施の形態と同様に複数パネル構成体２と底面パネル構成体３を接合した後に、複数パネル構成体２の両側の側面パネル１１，１２に向かって幅木構成体５４を移動させつつ寄せ蟻継手１４の蟻ほぞ１６を一旦逃げ穴１５ａに差し込み、その後に幅木構成体５４を下方に移動することで蟻ほぞ１６を蟻穴１５ｂに入れて両者を接合する。複数パネル構成体２に対する幅木構成体５４の接合は、配管５５の継手５５ａの接合が完了した後に行われる。なお、底面パネル構成体３の下方の漏水を点検するためには、複数パネル構成体２から幅木構成体５４を分離して、底面パネル構成体３の下方をオープン状態にする。この幅木構成体５４の分離は、上記組立手順と逆の手順で行うことができる。
【００３９】
（第３の実施の形態）
図１５及び図１６は本発明に係るキャビネット構成体及びキャビネット組立方法を洗面器用キャビネットに応用した第３の実施の形態を示すものであり、図１５は底面パネル構成体と複数パネル構成体とを示す正面図であり、左側半分に両者の接合状態を示すと共に右側半分に両者の分離状態を示す、図１６は底面パネルと複数パネル構成体とを分離した状態を示す部分断面した右側面図である。
【００４０】
本実施の形態が前記第１の実施の形態と相違する点は、底面パネル構成体６３の上面側に平面コ字状に折り曲げた複数パネル構成体６２の下端側を接合させるようしたことである。この相違点以外の構成は、前記第１の実施の形態と実質的に同一であり、同一の符合は同一の構成部材等を示す。
【００４１】
本実施の形態の洗面器用キャビネットは、背面パネル１０及び両側の側面パネル１１，１２を有すると共に、これら三枚のパネル１０〜１２を折曲げ可能に連結した複数パネル構成体６２と、複数パネル構成体６２の下端面に寄せ蟻の継手１４を介して接合できる上面を有する底面パネル構成体６３と、複数パネル構成体６２の両側の側面パネル１１，１２に寄せ蟻の継手１４で接合できる幕板構成体５（図１参照）と、底面パネル構成体６３に寄せ蟻の継手１４を介して接合できる幅木構成体５４と、左右の扉構成体６，７（図１参照）を備えている。
【００４２】
複数パネル構成体６２は、背面パネル１０及び両側の側面パネル１１，１２の下端面に、寄せ蟻の継手１４の蟻ほぞ１６（又は穴１５）を設けてある。底面パネル構成体６３は、上面６３ａに、複数パネル構成体６２の蟻ほぞ１６（又は穴１５）に対応する穴１５（又は蟻ほぞ１６）を設けてある。底面パネル構成体６３は、下面６３ｂの左右両側から垂下した脚部６３ｃ，６３ｃを設け、脚部６３ｃ，６３ｃの間に配管接続用空間６３ｄを形成してある。底面パネル構成体６３は、脚部６３ｃ，６３ｃの正面側に、寄せ蟻の継手１４を形成する蟻ほぞ１６（又は穴１５）を設けてある。また、幅木構成体５４は、その背面側の左右両側に、脚部６３ｃ，６３ｃの蟻ほぞ１６（又は穴１５）に対応する穴１５（又は蟻ほぞ１６）を設けてある。
【００４３】
組み立てるときには、複数パネル構成体６２を平面コ字状に折り曲げて両側の側面パネル１１，１２を対峙させ、次に折り曲げ状態の複数パネル構成体６２と底面パネル構成体６３とを接近させつつ寄せ蟻継手１４の各蟻ほぞ１６を対応する逃げ穴１５ａに一旦差し込み、その後に両者６２，６３を相対移動することで各蟻ほぞ１６を対応する蟻穴１５ｂに入れて両者６２，６３を接合する。次に、図示は省略したが、複数パネル構成体６２の両側の側面パネル１１，１２に向かって幕板構成体５（図１参照）を移動させつつ寄せ蟻継手１４の蟻ほぞ１６を一旦逃げ穴１５ａに差し込み、その後に幕板構成体５を下方に移動することで蟻ほぞ１６を蟻穴１５ｂに入れて両者６２，５を接合する。最後に、底面パネル構成体６３の配管接続用空間６３ｄにおける配管接続が終了したならば、底面パネル構成体６３に寄せ蟻継手１４を介して幅木構成体５４を接合する。この幅木構成体５４の接合は、底面パネル構成体６３の左右の脚部６３ｃ，６３ｃの正面側に向かって幅木構成体５４を移動させつつ寄せ蟻継手１４の蟻ほぞ１６を一旦逃げ穴１５ａに差し込み、その後に幅木構成体５４を下方に移動することで蟻ほぞ１６を蟻穴１５ｂに入れて行う。
【００４４】
なお、底面パネル構成体６３の配管接続用空間６３ｄにおける漏水等を点検するためには、底面パネル構成体６３の左右の脚部６３ｃ，６３ｃから幅木構成体５４を分離して、配管接続用空間６３ｄをオープン状態にする。この幅木構成体５４の分離は、上記組立手順と逆の手順で行うことができる。
【００４５】
（第４の実施の形態）
図１７乃至図２０は本発明外のキャビネット構成体を収納棚に応用した第４の実施の形態を示すものである。図１７は組立てられた収納棚の部分断面した正面図である。図１８は背面パネル及び両側の側面パネルを連結した複数パネル構成体を示す平面図である。図１９は組立て途中の状態を示す右側面図である。図２０は別態様の複数パネル構成体を示す平面図である。
【００４６】
収納棚２１を構成するキャビネット構成体は、背面パネル２６及び両側の側面パネル２７，２８を形成する複数パネル構成体２２と、底面（下面）パネル構成体２３と、上面パネル構成体２４と、棚板構成体２５，２５とを備えている。
【００４７】
該複数パネル構成体２２は、背面パネル２６の左右両端に左右の側面パネル２７，２８を折曲げ可能に連結したものであって、図１８中に二点鎖線で示すように平面状態に広げたときの折曲げ箇所を縦方向に延びる９０°のＶ字状の凹溝２２ａ，２２ａで形成してあり、同図中に実線で示すように左右の側面パネル２７，２８を手前側へ折り曲げることができるようにしてある。複数パネル構成体２２は、三枚のパネル２６〜２８の夫々の内外の表層２６ｂ，２７ｂ，２８ｂを合成樹脂素材で成形すると共に夫々の内側に中空部２６ｃ，２７ｃ，２８ｃを形成し、パネルを折曲げ可能に連結する各凹溝２２ａの隅部箇所２２ａ−１を、連結する両パネルの表層に一体に連なる同じ合成樹脂素材からなる可撓性のもので形成してある。複数パネル構成体２２は、左右の側面パネル２７，２８の上下面の夫々に、寄せ蟻の継手１４を構成する蟻ほぞ１６，１６を設けてある。
【００４８】
上記複数パネル構成体２２は、左右の側面パネル２７，２８を手前側へ折り曲げたときに内側面となる各側面パネル２７，２８の表面に、図１７及び図１９に示す如く、棚板構成体２５を嵌入スライドさせるための適宜組数の凹溝２７ａ，２８ａを設けると共に、各凹溝２７ａ，２８ａに係止用の凹部２７ｄ，２８ｄを設けてある。背面パネル２６は、正面に棚板構成体２５を挿着させるための凹溝２６ａを設けると共に、上下端面の夫々に係止用突起２６ｄを設けてある。複数パネル構成体２２は、ブロー成形法で成形することが可能となり、ブロー成形法で成形したときには製造コストの低減を図ることができる。複数パネル構成体２２は、全体が同一の合成樹脂素材で成形されているため、リサイクルするときに同一の合成樹脂素材に還元することが可能となる。
【００４９】
なお、前記複数パネル構成体２２は、図２０に示す別態様の複数パネル構成体２２に変更することも可能である。この別態様の複数パネル構成体２２は、二分割可能な背面パネル２９を用いた以外の構成が前記複数パネル構成体２２と実質的に同一である。背面パネル２９は、分離接合可能な左右の分割部２９ａ，２９ｂからなり、分割部２９ａ，２９ｂの突き合わせ部に、適宜組数の寄せ蟻の継手１４（図１１参照）を構成する穴１５及び蟻ほぞ１６を設けてある。複数パネル構成体２２は、背面パネル２９を分離することにより、搬送のための梱包サイズを小さくすることができる。
【００５０】
前記底面パネル構成体２３は、図１７及び図１９に示す如く、表層２３ｂを合成樹脂素材で成形すると共に内側に中空部２３ｃを形成してあり、ブロー成形法で成形したときには製造コストの低減を図ることができる。底面パネル構成体２３は、上面の左右両側の夫々所定箇所に、寄せ蟻の継手１４を構成する逃げ穴１５ａ及び蟻穴１５ｂからなる穴１５を二個設けてある。底面パネル構成体２３は、上面奥側の所定箇所に係止用凹部２３ｄを設けてある。
【００５１】
前記上面パネル構成体２４は、図１７及び図１９に示す如く、表層２４ｂを合成樹脂素材で成形すると共に内側に中空部２４ｃを形成してあり、ブロー成形法で成形したときには製造コストの低減を図ることができる。上面パネル構成体２４は、底面の左右両側の夫々所定箇所に、寄せ蟻の継手１４を構成する逃げ穴１５ａ及び蟻穴１５ｂからなる穴１５を二個設けてある。上面パネル構成体２４は、下面奥側の所定箇所にに係止用凹部２４ｄを設けてある。
【００５２】
前記棚板構成体２５は、図１７及び図１９に示す如く、表層２５ｂを合成樹脂素材で成形すると共に内側に中空部２５ｃを形成してあり、ブロー成形法で成形したときには製造コストの低減を図ることができる。棚板構成体２５は、左右の外側面の所定箇所に、係止用の凸部２５ｄを設けてある。
【００５３】
前記底面パネル構成体２３、上面パネル構成体２４及び棚板構成体２５は、前記複数パネル構成体２２と同一の合成樹脂素材で成形することにより、リサイクルするときに同一の合成樹脂素材に還元することが可能となる。
【００５４】
前記収納棚２１の組立て方法は、その組立て手順に従って説明すると下記の通りである。先ず、背面パネル２６の両側に側面パネル２７，２８を折曲げ可能に連結した複数パネル構成体２２と、複数パネル構成体２２の折り曲げた両側の側面パネル２７，２８の上下に寄せ蟻の継手１４で接合できる上面パネル構成体２４及び底面パネル構成体２３と、折り曲げた両側の側面パネル２７，２８の間に挿着できるの二枚の棚板構成体２５とを予め準備する。
【００５５】
次に、図１８に二点鎖線で示す平面状態の複数パネル構成体２２の両側の側面パネル２７，２８が手前側に来るように折曲げることで、実線で示すように平面コ字状の立体状態にして自立させる。なお、背丈が高いときには、複数パネル構成体２２の背面パネル２６を床面上に寝かした状態でコ字状に折り曲げる。そして、平面コ字状の複数パネル構成体２２の上端面に上面パネル構成体２４を接近させ、側面パネル２７，２８と上面パネル構成体２４との間に設けられている四組の継手１４の各逃げ穴１５ａに対応する蟻ほぞ１６を嵌入させる。この嵌入が終了したならば、上面パネル構成体２４を背面パネル２６に向かって押し込むことで、四組の継手１４の各蟻穴１５ｂに蟻ほぞ１６をスライド挿入させて抜けない状態に嵌着させると共に、上面パネル構成体２４の係止用凹部２４ｄに背面パネル２６の係止用凸部２６ｄを嵌入させて係止状態にする。これにより、複数パネル構成体２２と上面パネル構成体２４とは、四組の継手１４で接合されて一体化する。
【００５６】
続けて、複数パネル構成体２２の天地を逆にするか又は横に寝かした状態のまま、コ字状の複数パネル構成体２２の下端面に底面パネル構成体２３を接近させ、側面パネル２７，２８と底面パネル構成体２３との間に設けられている四組の継手１４の各逃げ穴１５ａに対応する蟻ほぞ１６を嵌入させる。この嵌入が終了したならば、底面パネル構成体２３を背面パネル２６に向かって押し込むことで、四組の継手１４の各蟻穴１５ｂに蟻ほぞ１６をスライド挿入させて抜けない状態に嵌着させると共に、底面パネル構成体２３の係止用凹部２３ｄに背面パネル２６の係止用凸部２６ｄを嵌入させて係止状態にする。これにより、複数パネル構成体２２と底面パネル構成体２３とは、四組の継手１４で接合されて一体化する。なお、平面コ字状の複数パネル構成体２２に底面パネル構成体２３を接合した後に、上面パネル構成体２４を接合する手順で行うことも可能である。
【００５７】
最後に、複数パネル構成体２２の天地を再度逆にするか又は横に寝かした状態のまま、両側の側面パネル２７，２８の各一対の凹溝２７ａ，２８ａに棚板構成体２５を一枚つづ奥まで差し込み、凹溝２７ａ，２８ａの凹部２７ｄ，２８ｄに棚板構成体２５の凸部２５ｄ，２５ｄを嵌入させて係止状態にすることで、組み立てを完了する。
【００５８】
収納棚２１の上記組立て方法では、複数パネル構成体２２の折り曲げた各側面パネル２７，２８に上下のパネル構成体２４，２５を接合して一体化できるので、一人で簡単に組み立て作業することが可能となる。更に、複数パネル構成体２２が背面パネル２６と左右の側面パネル２７，２８とを一体化してあるため、三枚のパネルを個々に探す必要も、三枚のパネルどうしの連結箇所を探し出す必要もないため、短時間に組立てることが可能となる。
【００５９】
（第５の実施の形態）
図２１乃至図２３は本発明外のキャビネット構成体を隅用収納棚に応用した第５の実施の形態を示すものである。図２１は組立てられた隅用収納棚示すものであって、（Ａ）は部分断面した正面図、（Ｂ）は部分断面した平面図である。図２２は図２１（Ａ）のａ−ａ線における断面図である。図２３は組立て途中を示すものであって、図中上方には上面パネル構成体の部分断面した底面図が図示され、図中下方に複数パネル構成体の部分断面した平面図が図示されている。
【００６０】
隅用収納棚３１を構成するキャビネット構成体は、両側の側面パネル３７，３８からなる複数パネル構成体３２と、底面パネル構成体３３と、上面パネル構成体３４と、棚板構成体３５，３５とを備えている。
【００６１】
該複数パネル構成体３２は、左右の側面パネル３７，３８を折曲げ可能に連結したものであって、図２３に示すように平面状態に広げたときの折曲げ箇所を縦方向に延びる９０°のＶ字状の凹溝３２ａで形成してあり、凹溝３２ａで折り曲げることにより左右の側面パネル３７，３８を９０°で交差できるようになっている。複数パネル構成体３２は、二枚のパネル３７，３８の夫々の内外の表層３７ｂ，３８ｂを合成樹脂素材で成形すると共に夫々の内側に中空部３７ｃ，３８ｃを形成し、パネルを折曲げ可能に連結する各凹溝３２ａの隅部箇所３２ａ−１を、連結する両パネルの表層３７ｂ，３８ｂに一体に連なる同じ合成樹脂素材からなる可撓性のもので形成してある。複数パネル構成体３２は、左右の側面パネル３７，３８の上下面の夫々に、無理バメ嵌合できる継手４４を構成する凸部４４ａを設けてある。
【００６２】
上記複数パネル構成体３２は、図２１及び図２２に示す如く、左右の側面パネル３７，３８に、棚板構成体３５を嵌入させるための凹溝３７ａ，３８ａを設けると共に、各凹溝３７ａ，３８ａに無理バメ嵌合できる継手４４を構成する凹部４４ｂを設けてある。複数パネル構成体３２は、ブロー成形法で成形することが可能となり、ブロー成形法で成形したときには製造コストの低減を図ることができる。複数パネル構成体３２は、全体が同一の合成樹脂素材で成形されているため、リサイクルするときに同一の合成樹脂素材に還元することが可能となる。
【００６３】
前記底面パネル構成体３３は、図２１に示す如く、平面が扇状又は三角形状に形成され、表層３３ｂを合成樹脂素材で成形すると共に内側に中空部３３ｃを形成してあり、ブロー成形法で成形したときには製造コストの低減を図ることができる。底面パネル構成体３３は、上面側の直線状に延びる縁部の夫々に、継手４４を構成する凹部４４ｂを設けてある。
【００６４】
前記上面パネル構成体３４は、図２１及び図２３に示す如く、平面が扇状又は三角形状に形成され、表層３４ｂを合成樹脂素材で成形すると共に内側に中空部３４ｃを形成してあり、ブロー成形法で成形したときには製造コストの低減を図ることができる。上面パネル構成体３４は、底面側の直線状に延びる縁部の夫々に、継手４４を構成する凹部４４ｂを設けてある。
【００６５】
前記棚板構成体３５は、図２１及び図２２に示す如く、平面が扇状又は三角形状に形成され、表層３５ｂを合成樹脂素材で成形すると共に内側に中空部３５ｃを形成してあり、ブロー成形法で成形したときには製造コストの低減を図ることができる。棚板構成体３５は、直線状に延びて交叉する外側面の夫々に、継手４４を構成する凸部４４ａを設けてある。
【００６６】
前記底面パネル構成体３３、上面パネル構成体３４及び棚板構成体３５は、前記複数パネル構成体３２と同一の合成樹脂素材で成形することにより、リサイクルするときに同一の合成樹脂素材に還元することが可能となる。
【００６７】
前記隅用収納棚３１の組立て方法は、その組立て手順に従って説明すると下記の通りである。先ず、側面パネル３７，３８を折曲げ可能に連結した複数パネル構成体３２と、折り曲げた複数パネル構成体３２の上下に継手４４で接合できる上面パネル構成体３４及び底面パネル構成体３３と、折り曲げた側面パネル３７，３８に挿着できると共に継手４４で接合できる二枚の棚板構成体３５とを予め準備する。
【００６８】
次に、図２３に二点鎖線で示す平面状態の複数パネル構成体３２を中央で折曲げることで、実線で示すように平面ヘ字状の立体状態にして自立させる。そして、平面ヘ字状の複数パネル構成体３２の上端面に上面パネル構成体３４を接近させ、側面パネル３７，３８と上面パネル構成体３４との間に設けられている四組の継手４４の凹凸部４４ｂ，４４ａを無理バメ嵌合させる。これにより、複数パネル構成体３２と上面パネル構成体３４とは、四組の継手４４で接合されて一体化する。
【００６９】
続けて、複数パネル構成体３２の天地を逆にし、平面ヘ字状の複数パネル構成体３２の上向き状態の下端面に上方から底面パネル構成体３３を接近させ、側面パネル３７，３８と底面パネル構成体３３との間に設けられている四組の継手４４の凹凸部４４ｂ，４４ａを無理バメ嵌合させる。これにより、複数パネル構成体３２と底面パネル構成体３４とは、四組の継手４４で接合されて一体化する。なお、平面へ字状の複数パネル構成体３２に底面パネル構成体３３を接合した後に、上面パネル構成体３４を接合する手順で行うことも可能である。
【００７０】
最後に、複数パネル構成体３２の天地を再度逆にし、両側の側面パネル３７，３８の一対の凹溝３７ａ，３８ａの夫々に棚板構成体３５を一枚つづ奥まで差し込み、側面パネル３７，３８と棚板構成体３５との間に設けられている四組の継手４４の凹凸部４４ｂ，，４４ａを無理バメ嵌合させる。これにより、複数パネル構成体３２と各棚板構成体３５とは、四組の継手４４で接合されて一体化し、組み立てを完了する。
【００７１】
隅用収納棚３１の上記組立て方法では、複数パネル構成体３２を折り曲げて両側の側面パネル３７，３８を交差状態にすることで自立させることができ、この自立した複数パネル構成体３２に上下のパネル構成体３４，３３を接合して一体化できるので、一人で簡単に組み立て作業することが可能となる。更に、複数パネル構成体３２が左右の側面パネル３７，３８を一体化してあるため、二枚のパネルを個々に探す必要も、二枚のパネルどうしの連結箇所を探し出す必要もないため、短時間に組立てることが可能となる。
【００７２】
【発明の効果】
請求項１記載の本発明に係るキャビネット構成体は、複数パネル構成体を探し出すことで背面パネル及び両側の側面パネルを一体として容易に得ることができると共に、複数パネル構成体を折り曲げた状態で自立させたり又は横に寝かした状態にして底面パネルの接合が簡単にできるので、一人で短時間に組み立てることができる。また、本発明に係るキャビネット構成体は、蹴り込み部を有するキャビネットを一人で短時間に組み立てることができる。
【００７３】
請求項２記載の本発明に係るキャビネット構成体は、同一の合成樹脂素材に還元することが可能となるためリサイクルが容易となる。
請求項３記載の本発明に係るキャビネット構成体は、複数パネル構成体を探し出すことで背面パネル及び両側の側面パネルを一体として容易に得ることができると共に、複数パネル構成体を折り曲げた状態で自立させたり又は横に寝かした状態にして底面パネルの接合が簡単にできるので、一人で短時間に組み立てることができる。
【００７４】
請求項５及び９記載の本発明に係るキャビネット組立方法は、折り曲げて自立させた状態の複数パネル構成体に、寄せ蟻の継手を介して底面パネルと幕板構成体とを接合できるので、一人で短時間に組み立てることができる。
請求項６記載の本発明に係るキャビネット組立方法は、幅木を備える状態での組み立てが簡単にできる。
請求項７及び１０記載の本発明に係るキャビネット組立方法は、組み立て後に幅木構成体を着脱できる構造のキャビネットを得ることができるため、底面パネル構成体の底面側を開口して点検等を行うことができるキャビネットを提供できる。
請求項８記載の本発明に係るキャビネット組立方法は、扉を備える状態での組み立てが簡単にできる。
【図面の簡単な説明】
【図１】本発明に係るキャビネット構成体及びキャビネット組立方法を洗面器用キャビネットに応用した第１の実施の形態を示すものであり、組立てられた洗面器用キャビネットを示すものであって、（Ａ）は正面図、（Ｂ）は平面図、（Ｃ）は部分断面した右側面図、（Ｄ）は一部を示す底面図である。
【図２】同実施の形態における背面パネル及び両側の側面パネルを連結した複数パネル構成体を示すものであって、（Ａ）は平面状に広げた状態の正面図、（Ｂ）は同状態の平面図、（Ｃ）は同状態の左側面図である。
【図３】同実施の形態における複数パネル構成体の背面図である。
【図４】同実施の形態における複数パネル構成体の拡大した断面図であって、（Ａ）は図２（Ａ）のａ−ａ線における断面図、（Ｂ）は図２（Ａ）のｂ−ｂ線における断面図、（Ｃ）は図２（Ｂ）の一点鎖線ｃで囲まれた部分の断面図である。
【図５】同実施の形態における複数パネル構成体の中間を省略して左右両端寄りを拡大して示す部分断面した平面図である。
【図６】同実施の形態における底面パネル構成体を示すものであって、（Ａ）は底面図、（Ｂ）は部分断面した背面図である。
【図７】同実施の形態における幅木構成体を示すものであって、（Ａ）は正面図、（Ｂ）は右側面図、（Ｃ）は部分断面した平面図である。
【図８】同実施の形態における幕板構成体を示すものであって、（Ａ）は部分断面した正面図、（Ｂ）は平面図、（Ｃ）は背面図である。
【図９】同実施の形態における中仕切構成体を示すものであって、（Ａ）は平面図、（Ｂ）は部分断面した左側面図、（Ｃ）は背面図である。
【図１０】同実施の形態における右側の扉構成体を示すものであって、（Ａ）は部分断面した正面図、（Ｂ）は平面図である。
【図１１】同実施の形態における寄せ蟻の継手を示すものであって、（Ａ）は逃げ穴及び蟻穴を示す表面図、（Ｂ）は蟻ほぞを示す表面図、（Ｃ）は逃げ穴及び蟻穴に蟻ほぞを差し込む前の状態の側面図、（Ｄ）は逃げ穴及び蟻穴に蟻ほぞを差し込んだ状態の側面図である。
【図１２】同実施の形態におけるヒンジ具を示すものであって、（Ａ）は上方のヒンジ具の正面図、（Ｂ）は上方のヒンジ具の平面図、（Ｃ）は下方のヒンジ具の正面図、（Ｄ）は下方のヒンジ具の平面図である。
【図１３】同実施の形態における組立て途中の状態を示す平面図である。
【図１４】本発明に係るキャビネット構成体及びキャビネット組立方法を洗面器用キャビネットに応用した第２の実施の形態の下半部を中間省略して示す部分断面した右側面図であって、（Ａ）は複数パネル構成体と幅木構成体とを分離した状態を示し、（Ｂ）は複数パネル構成体に幅木構成体を接合した状態を示すものである。
【図１５】本発明に係るキャビネット構成体及びキャビネット組立方法を洗面器用キャビネットに応用した第３の実施の形態を示すものであり、底面パネル構成体と複数パネル構成体とを示す正面図であり、左側半分に両者の接合状態を示すと共に右側半分に両者の分離状態を示す。
【図１６】同実施の形態において、底面パネルと複数パネル構成体とを分離した状態を示す部分断面した右側面図である。
【図１７】本発明外のキャビネット構成体を収納棚に応用した第４の実施の形態を示すものであって、組立てられた収納棚の部分断面した正面図である。
【図１８】同実施の形態における背面パネル及び両側の側面パネルを連結した複数パネル構成体を示す平面図であり、平面状に広げた状態を二点鎖線で示す。
【図１９】同実施の形態における組立て途中の状態を示す右側面図である。
【図２０】同実施の形態における別態様の複数パネル構成体を示す平面図である。
【図２１】本発明外のキャビネット構成体を隅用収納棚に応用した第５の実施の形態を示すものであって、（Ａ）は組立てられた隅用収納棚示の部分断面した正面図、（Ｂ）は部分断面した平面図である。
【図２２】図２１（Ａ）のａ−ａ線における断面図である。
【図２３】同実施の形態における組立て途中を示すものであって、図中上方には上面パネル構成体の部分断面した底面図が図示され、図中下方に複数パネル構成体の部分断面した平面図が図示されている。
【符号の説明】
２（２２，３２，６２）…複数パネル構成体、３（２３，３３，５３，６３）…底面パネル構成体、４（５４）…幅木構成体、５…幕板構成体、８，９…ヒンジ具、１０…背面パネル、１１，１２（２７，２８，３７，３８）…側面パネル、１４…寄せ蟻の継手、１５ａ…逃げ穴、１５ｂ…蟻穴、１６…蟻ほぞ、４４…継手
【図１】
0003612682.tif 000002
【図２】
0003612682.tif 000003
【図３】
0003612682.tif 000004
【図４】
0003612682.tif 000005
【図５】
0003612682.tif 000006
【図６】
0003612682.tif 000007
【図７】
0003612682.tif 000008
【図８】
0003612682.tif 000009
【図９】
0003612682.tif 000010
【図１０】
0003612682.tif 000011
【図１１】
0003612682.tif 000012
【図１２】
0003612682.tif 000013
【図１３】
0003612682.tif 000014
【図１４】
0003612682.tif 000015
【図１５】
0003612682.tif 000016
【図１６】
0003612682.tif 000017
【図１７】
0003612682.tif 000018
【図１８】
0003612682.tif 000019
【図１９】
0003612682.tif 000020
【図２０】
0003612682.tif 000021
【図２１】
0003612682.tif 000022
【図２２】
0003612682.tif 000023
【図２３】
0003612682.tif 000024